【手続補正書】
【提出日】平成29年10月17日(2017.10.17)
【手続補正１】
【補正対象書類名】明細書
【補正対象項目名】発明の名称
【補正方法】変更
【補正の内容】
【発明の名称】画像形成装置、ブラウザの制御方法およびプログラム
【手続補正２】
【補正対象書類名】明細書
【補正対象項目名】０００１
【補正方法】変更
【補正の内容】
【０００１】
本発明は、画像形成装置、ブラウザの制御方法およびプログラムに関する。
【手続補正３】
【補正対象書類名】明細書
【補正対象項目名】０００５
【補正方法】変更
【補正の内容】
【０００５】
上述した課題を解決し、目的を達成するために、本発明は、画像形成装置にインストールするアプリケーションの一覧表示と、表示された前記アプリケーションの前記画像形成装置へのダウンロードとを行うためのＷｅｂページを送信するアプリストアサーバとネットワークを介して接続する画像形成装置であって、前記画像形成装置は、プロッタまたはスキャナを含む本体と、前記本体に対する画像形成または画像読み取りの指示の受け付け、及び、少なくとも前記アプリストアサーバへの前記Ｗｅｂページの表示を行うブラウザを表示する操作部と、を備え、前記ブラウザは、前記画像形成装置を特定する機器特定情報を前記アプリストアサーバに送信し、前記送信された前記機器特定情報と、前記機器特定情報に対応する前記画像形成装置が有する機能の情報とに基づいて特定されるアプリケーションであって、前記機器特定情報を有する前記画像形成装置で利用可能なアプリケーションの情報を含む前記Ｗｅｂページを、前記アプリストアサーバから受信し、受信した前記Ｗｅｂページを、前記画像形成装置で利用可能なアプリケーションの一覧画面として、前記操作部に表示する、画像形成装置である。
【手続補正４】
【補正対象書類名】特許請求の範囲
【補正対象項目名】全文
【補正方法】変更
【補正の内容】
【特許請求の範囲】
【請求項１】
画像形成装置にインストールするアプリケーションの一覧表示と、表示された前記アプリケーションの前記画像形成装置へのダウンロードとを行うためのＷｅｂページを送信するアプリストアサーバとネットワークを介して接続する画像形成装置であって、
前記画像形成装置は、
プロッタまたはスキャナを含む本体と、
前記本体に対する画像形成または画像読み取りの指示の受け付け、及び、少なくとも前記アプリストアサーバへの前記Ｗｅｂページの表示を行うブラウザを表示する操作部と、
を備え、
前記ブラウザは、
前記画像形成装置を特定する機器特定情報を前記アプリストアサーバに送信し、
前記送信された前記機器特定情報と、前記機器特定情報に対応する前記画像形成装置が有する機能の情報とに基づいて特定されるアプリケーションであって、前記機器特定情報を有する前記画像形成装置で利用可能なアプリケーションの情報を含む前記Ｗｅｂページを、前記アプリストアサーバから受信し、
受信した前記Ｗｅｂページを、前記画像形成装置で利用可能なアプリケーションの一覧画面として、前記操作部に表示する、
画像形成装置。
【請求項２】
前記本体は、前記プロッタまたは前記スキャナを動作させる第１のオペレーティングシステムを有し、
前記操作部は、第２のオペレーティングシステムを有し、
前記ブラウザは、前記第２のオペレーティングシステムの下で動作するとともに、前記第２のオペレーティングシステムを介して前記機器特定情報を取得して前記アプリストアサーバに送信する、
請求項１に記載の画像形成装置。
【請求項３】
前記操作部は、
ユーザの入力を受け付けるとともに各種の情報を表示するタッチパネルと、
前記第２のオペレーティングシステムの下で動作するとともに前記タッチパネルに表示されるアイコンを有するストア起動アプリと、
を有し、
前記ブラウザは、
表示された前記ストア起動アプリの前記アイコンがユーザによりタッチされると、前記第２のオペレーティングシステムを経由して前記機器特定情報と前記アプリストアサーバのＵＲＬとを受け取って、前記機器特定情報を付加した前記Ｗｅｂページのリクエストを前記ＵＲＬを用いて前記アプリストアサーバに送信する、
請求項２に記載の画像形成装置。
【請求項４】
前記一覧画面に含むアプリケーションは、
前記操作部において前記第２のオペレーティングシステムの下で第２のプロセッサにより動作するアプリケーションであって、前記操作部にインストールされるアプリケーションと、前記アプリストアサーバとは異なる外部サーバに配置したアプリケーションを前記操作部のブラウザアプリを用いて利用するＷｅｂアプリケーションと、を含む、
請求項２に記載の画像形成装置。
【請求項５】
前記一覧画面に表示された１以上のアプリケーションのうち、ユーザによって選択されたアプリケーションを、前記画像形成装置で利用するための制御を行うアプリケーション利用制御部をさらに備え、
前記アプリケーション利用制御部は、ユーザによって選択されたアプリケーションが、ネットワークを介して利用するアプリケーションを示すＷｅｂアプリである場合、当該Ｗｅｂアプリを保持するアプリケーションサーバとの間で当該Ｗｅｂアプリを利用するための処理を実行する、
請求項１乃至４のうちの何れか１項に記載の画像形成装置。
【請求項６】
前記画像形成装置が有する機能の情報は、前記画像形成装置に搭載可能な機能を識別する機能識別情報ごとに、機能の有無または機能の種類を示す値を対応付けた情報である、
請求項１乃至５のうちの何れか１項に記載の画像形成装置。
【請求項７】
プロッタまたはスキャナを含む本体に対する画像形成または画像読み取りの指示の受け付ける画像形成装置にインストールするアプリケーションの一覧表示と、表示された前記アプリケーションの前記画像形成装置へのダウンロードとを行うためのＷｅｂページを送信するアプリストアサーバとネットワークを介して接続し、少なくとも前記アプリストアサーバへの前記Ｗｅｂページの表示を行うブラウザを表示する操作部を備える画像形成装置におけるブラウザの制御方法であって、
前記画像形成装置を特定する機器特定情報を前記アプリストアサーバに送信する工程と、
前記送信された前記機器特定情報と、前記機器特定情報に対応する前記画像形成装置が有する機能の情報とに基づいて特定されるアプリケーションであって、前記機器特定情報を有する前記画像形成装置で利用可能なアプリケーションの情報を含む前記Ｗｅｂページを、前記アプリストアサーバから受信する工程と、
受信した前記Ｗｅｂページを、前記画像形成装置で利用可能なアプリケーションの一覧画面として、前記操作部に表示する工程と、
を含むブラウザの制御方法。
【請求項８】
プロッタまたはスキャナを含む本体に対する画像形成または画像読み取りの指示の受け付ける画像形成装置にインストールするアプリケーションの一覧表示と、表示された前記アプリケーションの前記画像形成装置へのダウンロードとを行うためのＷｅｂページを送信するアプリストアサーバとネットワークを介して接続し、少なくとも前記アプリストアサーバへの前記Ｗｅｂページの表示を行うブラウザを表示する操作部を備える画像形成装置の前記ブラウザを制御するコンピュータに、
前記画像形成装置を特定する機器特定情報を前記アプリストアサーバに送信する機能と、
前記送信された前記機器特定情報と、前記機器特定情報に対応する前記画像形成装置が有する機能の情報とに基づいて特定されるアプリケーションであって、前記機器特定情報を有する前記画像形成装置で利用可能なアプリケーションの情報を含む前記Ｗｅｂページを、前記アプリストアサーバから受信する機能と、
受信した前記Ｗｅｂページを、前記画像形成装置で利用可能なアプリケーションの一覧画面として、前記操作部に表示する機能と、
を実現させるためのプログラム。